(57)【要約】【課題】  放送されている楽曲の音楽ジャンルに応じて再生音の音場を自動的に設定することのできるデジタルラジオ放送受信装置を提供する。【解決手段】  デジタルラジオ受信装置１は、チューナ部２で抽出して音声データデコーダ部３でデコードした音声データの周波数特性を調整するイコライザ４と、イコライザ４の周波数特性調整用パラメータを音楽ジャンルごとに記憶しているパラメータ記憶部５とを有しており、チューナ部２で抽出して番組付加情報デコーダ部７でデコードしたデジタルラジオ放送の番組付加情報からジャンルデータ抽出部８で抽出した放送中の楽曲のジャンルデータに応じて、そのジャンル用の周波数特性調整用パラメータをパラメータ記憶部５から読み出して制御用ＣＰＵ６を介してイコライザ４へ与える。【選択図】  図２
2006109233.tif 000002
【特許請求の範囲】
【請求項１】
受信したデジタルラジオ放送の番組付加情報から音楽ジャンルデータを抽出し、前記音楽ジャンルに適した音場で前記デジタルラジオ放送の音声を再生することを特徴とするデジタルラジオ放送受信装置。
【請求項２】
デジタルラジオ放送を受信して音声データおよび番組付加情報を出力するチューナ部と、
前記チューナ部から出力された音声データをデコードする音声データデコーダ部と、
前記音声データデコーダ部でデコードされた音声データの再生音場を調整する音場調整部と、
前記音場調整部で用いる音場調整用パラメータを音楽ジャンルごとに記憶しているパラメータ記憶部と、
前記チューナ部から出力された前記番組付加情報を文字情報へデコードする番組付加情報デコーダ部と、
前記番組付加情報デコーダ部でデコードされた前記文字情報から音楽ジャンルデータを抽出するジャンルデータ抽出部と、
前記ジャンルデータ抽出部で抽出された前記音楽ジャンルデータに対応して前記パラメータ記憶部から読み出される前記音場調整用パラメータを前記音場調整部へ与える音場制御部と
を有することを特徴とするデジタルラジオ放送受信装置。
【請求項３】
前記パラメータ記憶部が、予め特定のパラメータが書き込まれたプリセットパラメータ記憶部と、ユーザにより設定されたパラメータが書き込まれたユーザ設定パラメータ記憶部とを有していることを特徴とする請求項２に記載のデジタルラジオ放送受信装置。
【請求項４】
前記ユーザ設定パラメータ記憶部へ前記パラメータを書き込むための入力手段をさらに有していることを特徴とする請求項３に記載のデジタルラジオ放送受信装置。
【請求項５】
前記音場調整部がイコライザであることを特徴とする請求項２乃至４のいずれか１項に記載のデジタルラジオ放送受信装置。
【発明の詳細な説明】
【技術分野】
【０００１】
本発明は、デジタルラジオ放送を受信して音声を再生するデジタルラジオ放送受信装置に関する。
【背景技術】
【０００２】
近年、放送衛星を使ったデジタルラジオ放送が開始されたが、これに引き続いて地上波によるデジタルラジオ放送が計画され、既に実用化試験放送が行われている。このようなデジタルラジオ放送ではＣＤ並みの高音質での放送が行われるため、特に音楽の放送には適したものとなる。
【０００３】
また、デジタルラジオ放送では、音声データとともに番組付加情報が送信される。この番組付加情報を用いて、例えば音楽放送の場合、放送中の楽曲の音楽ジャンル、曲名、演奏者名等の文字情報を送信することができる。このような番組付加情報を受けて、デジタルラジオ受信装置では、放送されている楽曲の曲名や演奏者名等を表示装置に表示することができる。
【０００４】
そこで、このような音楽放送に適したデジタルラジオ放送の再生音の音質をさらに高めるために、デジタルラジオ放送受信装置にイコライザなどの音場制御機能を設けることが望まれる。さらに、この音場の特性が放送中の楽曲の音楽ジャンルに応じて自動的に制御されることがなお望まれる。
【０００５】
従来、このような演奏中の楽曲の音楽ジャンルに応じて音場特性を制御するものとしてＣＤを再生するオーディオ装置におけるイコライザ設定装置が提案されている（例えば、特許文献１参照。）。このイコライザ装置では、予め曲の一部をスペクトラム解析することにより周波数特性を求めて音楽ジャンルを判定し、その音楽ジャンルに適したイコライザ特性を自動的に設定するようになっている。
【０００６】
しかし、デジタルラジオ放送では、ＣＤの再生とは異なり、演奏される楽曲はリアルタイムで放送されるものであり、その楽曲の周波数特性などを事前に解析することができないという問題があった。
【特許文献１】特開２００１−８５９６２号公報（第３−５ページ、図１）
【発明の開示】
【発明が解決しようとする課題】
【０００７】
そこで、本発明の目的は、放送されている楽曲の音楽ジャンルに応じて再生音の音場を自動的に設定することのできるデジタルラジオ放送受信装置を提供することにある。
【課題を解決するための手段】
【０００８】
本発明の一態様によれば、受信したデジタルラジオ放送の番組付加情報から音楽ジャンルデータを抽出し、前記音楽ジャンルに適した音場で前記デジタルラジオ放送の音声を再生することを特徴とするデジタルラジオ放送受信装置が提供される。
【０００９】
また、本発明の別の一態様によれば、デジタルラジオ放送を受信して音声データおよび番組付加情報を出力するチューナ部と、前記チューナ部から出力された音声データをデコードする音声データデコーダ部と、前記音声データデコーダ部でデコードされた音声データの再生音場を調整する音場調整部と、前記音場調整部で用いる音場調整用パラメータを音楽ジャンルごとに記憶しているパラメータ記憶部と、前記チューナ部から出力された前記番組付加情報を文字情報へデコードする番組付加情報デコーダ部と、前記番組付加情報デコーダ部でデコードされた前記文字情報から音楽ジャンルデータを抽出するジャンルデータ抽出部と、前記ジャンルデータ抽出部で抽出された前記音楽ジャンルデータに対応して前記パラメータ記憶部から読み出される前記音場調整用パラメータを前記音場調整部へ与える音場制御部とを有することを特徴とするデジタルラジオ放送受信装置が提供される。
【発明の効果】
【００１０】
本発明によれば、受信したデジタルラジオ放送の付加情報に基づいて放送されている楽曲の音楽ジャンルに応じた再生音音場が自動的に設定されるので、デジタルラジオ放送受信装置の再生音の音質を向上させることができる。
【発明を実施するための最良の形態】
【００１１】
以下、本発明の実施例を図面を参照して説明する。
【実施例１】
【００１２】
図１は、デジタルラジオ放送で送信される番組付加情報の例を示す図である。
【００１３】
デジタルラジオ放送では、１つのラジオ放送信号の中に複数のチャンネルが多重化されてフレーム単位で送信されている。１つのチャンネルは、音声データと番組付加情報で構成される。番組付加情報には、例えば音楽番組の場合、番組名、放送中の楽曲のジャンル、曲名、演奏者名などのデータが含まれる。
【００１４】
図２は、本発明の第１の実施例に係るデジタルラジオ放送受信装置の構成の例を示すブロック図である。
【００１５】
デジタルラジオ装置１は、アンテナ１００で受信されたデジタルラジオ放送信号から希望のチャンネルを抽出するチューナ部２と、チューナ部２から出力されたチャンネルデータの中の音声データをデコードする音声データデコーダ部３と、音声データデコーダ部３から出力された音声データの周波数特性を変化させるイコライザ４と、再生する楽曲のジャンルに対応付けてイコライザ４へ与える周波数特性設定用のパラメータを記憶しているパラメータ記憶部５と、パラメータ記憶部５から読み出された特定のジャンルのパラメータをイコライザ４へ与える制御用ＣＰＵ６とを有している。
【００１６】
イコライザ４は、例えばＤＳＰで構成されるディジタルフィルタを有しており、制御用ＣＰＵ５から与えられるパラメータによりこのディジタルフィルタのフィルタ特性を変化させて再生音の周波数特性を変化させる。
【００１７】
図３に、パラメータ記憶部５に記憶されるデータの構成の例を示す。
【００１８】
パラメータ記憶部５には、音楽のジャンルごとにイコライザ４へ与えるパラメータが１つずつ記憶されている。ここで、パラメータ記憶部５に記憶されるパラメータは、予め用意された固定のプリセットデータである。
【００１９】
例えば、クラシック、ピアノ、ロック、ラテン、ジャズ、・・・などの音楽のジャンルに対して、それぞれのジャンルに対応するパラメータが、プリセットデータＰ１、プリセットデータＰ２、プリセットデータＰ３、プリセットデータＰ４、プリセットデータＰ５、・・・としてパラメータ記憶部５に記憶されている。
【００２０】
さらに、図２に示すデジタルラジオ装置１は、チューナ部２から出力されたチャンネルデータの中の番組付加情報をデコードして文字情報を出力する番組付加情報デコーダ部７と、番組付加情報デコーダ部７でデコードされた文字情報からジャンルデータを抽出するジャンルデータ抽出部８とを有する。
【００２１】
ジャンルデータ抽出部８は、放送されている番組が音楽番組の場合、文字情報へデコードされた番組付加情報の中から放送中の楽曲のジャンルデータを抽出し、そのジャンルデータをパラメータ記憶部５へ送る。これを受けて、パラメータ記憶部５は、該当するジャンルのパラメータを読み出して、制御用ＣＰＵ６へ出力する。制御用ＣＰＵ６は、このパラメータをイコライザ４へ与える。イコライザ４は、与えられたパラメータに基づいて、放送中の音声データの周波数特性を変化させる。
【００２２】
これにより、デジタルラジオ装置１により再生される音声は、放送中の楽曲のジャンルに応じて、その周波数特性が自動的に調整される。
【００２３】
このような本実施例のデジタルラジオ装置によれば、デジタルラジオ放送で放送中の楽曲の音楽ジャンルに応じて再生音の周波数特性が自動的に調整されるので、デジタルラジオ放送受信装置の再生音の音質を向上させることができる。
【実施例２】
【００２４】
図４は、本発明の第２の実施例に係るデジタルラジオ放送受信装置の構成の例を示すブロック図である。
【００２５】
本実施例のデジタルラジオ受信装置１１は、実施例１のデジタルラジオ受信装置１に、さらに表示装置および入力装置を設け、イコライザの周波数特性をユーザが任意に変更できるようにしたものである。そこで、図４において、図２に示す実施例１のデジタルラジオ受信装置１と同じ機能を有するブロックには図２と同一の符号を付し、ここではその詳細な説明を省略する。
【００２６】
本実施例のデジタルラジオ受信装置１１は、制御用ＣＰＵ６１に接続されてイコライザ4の周波数特性設定用画面を表示する表示装置９１と、ユーザによりイコライザ４の周波数特性設定データが入力される入力装置９２と、イコライザ４へ与えるパラメータを記憶するパラメータ記憶部５１とを有している。
【００２７】
制御用ＣＰＵ６１は、入力装置９２から入力された周波数特性設定データをもとにイコライザ４へ与えるパラメータを算出する。
【００２８】
パラメータ記憶部５１は、ジャンルごとに予め用意された固定のパラメータを記憶しているプリセットパラメータ記憶部５１１と、入力装置９２から入力された周波数特性設定データをもとに制御用ＣＰＵ６１が算出したパラメータを記憶するユーザ設定パラメータ記憶部５１２と、プリセットパラメータ記憶部５１１に記憶されているパラメータまたはユーザ設定パラメータ記憶部５１２に記憶されているパラメータのいずれかのパラメータを選択して制御用ＣＰＵ６１へ出力するパラメータ選択部５１３とを有している。
【００２９】
プリセットパラメータ記憶部５１１のデータ構成は、図３に示した実施例１のパラメータ記憶部５と同一の構成であり、ジャンルごとのプリセットデータがジャンル名と対になって記憶されている。
【００３０】
図５は、本実施例の表示装置９１および入力装置９２の例を示す図である。
【００３１】
表示装置９１は、例えば液晶表示装置であり、ジャンル名の選択画面や周波数帯ごとの再生レベルの設定画面が表示され、また、入力用のカーソルやボタンなども表示される。
【００３２】
入力装置９２は、例えば十字キーであり、表示装置に表示されるカーソルを上下左右に移動させて、イコライザ４の周波数特性を設定したいジャンルを選択したり、周波数帯ごとの再生レベルの設定を行う。設定した周波数特性データは、表示装置９１に表示される保存ボタンを入力装置９２でクリックすることにより制御用ＣＰＵ６１へ入力される。
【００３３】
図６は、ユーザ設定パラメータ記憶部５１２のデータの構成の例を示す図である。
【００３４】
ユーザ設定パラメータ記憶部５１２もプリセットパラメータ記憶部５１１と同じ構成をしており、ジャンルごとに、ユーザの設定した周波数特性に対応したパラメータが記憶されている。
【００３５】
例えば、クラッシクやピアノのジャンルに対して、ユーザがイコライザ４の周波数特性を設定した場合、クラシックに対するパラメータがユーザ設定データＵ１として記憶され、ピアノに対するパラメータがユーザ設定データＵ２として記憶される。一方、例えば、ロックに対してユーザによる設定が行われなかった場合には、ロックに対するパラメータのデータ領域はブランクとなる。
【００３６】
なお、ユーザ設定パラメータ記憶部５１２には、フラッシュメモリなどの書き換え可能な不揮発性メモリを用い、デジタルラジオ受信装置１１の電源が切られても、記憶したユーザ設定データが消えないようにしておく。
【００３７】
本実施例のデジタルラジオ受信装置１１においても、チューナ部２から出力された番組付加情報は、番組付加情報デコーダ部７へ入力され、番組付加情報デコーダ部７で文字情報へデコードされる。番組付加情報デコーダ部７で文字情報へデコードされた番組付加情報は、ジャンルデータ抽出部８へ入力され、放送されている番組が音楽番組の場合、ジャンルデータが抽出される。ジャンルデータ抽出部８で抽出されたジャンルデータは、パラメータ記憶部５１へ送られる。
【００３８】
パラメータ記憶部５１へ送られたジャンルデータは、プリセットパラメータ記憶部５１１およびユーザ設定パラメータ記憶部５１２へ入力される。
【００３９】
プリセットパラメータ記憶部５１１は、入力されたジャンルのパラメータを出力する。また、ユーザ設定パラメータ記憶部５１２も、入力されたジャンルのパラメータを記憶していれば、そのパラメータを出力する。しかし、入力されたジャンルに対するパラメータを記憶していなければ、ユーザ設定パラメータ記憶部５１２はパラメータを出力しない。
【００４０】
パラメータ選択部５１３は、プリセットパラメータ記憶部５１１とユーザ設定パラメータ記憶部５１２の両方からパラメータの出力があった場合は、ユーザ設定パラメータ記憶部５１２を優先して、ユーザ設定パラメータ記憶部５１２から出力されたパラメータを制御用ＣＰＵ６１へ出力する。
【００４１】
一方、ユーザ設定パラメータ記憶部５１２からパラメータの出力がなかった場合は、プリセットパラメータ記憶部５１１から出力されたパラメータを制御用ＣＰＵ６１へ出力する。
【００４２】
すなわち、例えば、ジャンルデータ抽出部８で抽出されたジャンルがクラシックの場合、図６に示すユーザ設定パラメータ記憶部５１２に記憶されているユーザ設定データＵ１がパラメータ選択部５１３から出力される。これに対して、ジャンルデータ抽出部８で抽出されたジャンルがロックの場合、図３に示すようなプリセットパラメータ記憶部５１１に記憶されているプリセットデータＰ１がパラメータ選択部５１３から出力される。
【００４３】
このようにしてパラメータ選択部５１３から出力されたパラメータは制御用ＣＰＵ６１へ入力され、制御用ＣＰＵ６１からイコライザ４へ与えられる。
【００４４】
これにより、デジタルラジオ装置１１により再生される音声は、放送中の楽曲のジャンルに応じて、その周波数特性がユーザの設定に従って自動的に調整される。
【００４５】
このような本実施例のデジタルラジオ装置によれば、ジャンルごとのイコライザの周波数特性をユーザが任意に設定できるため、デジタルラジオ装置で再生される音声の周波数特性を、デジタルラジオ放送で放送中の楽曲の音楽ジャンルごとに、ユーザの設定に従って自動的に調整することができる。
【図面の簡単な説明】
【００４６】
【図１】デジタルラジオ放送で送信される番組付加情報の例を示す図。
【図２】本発明の第１の実施例に係るデジタルラジオ放送受信装置の構成の例を示すブロック図。
【図３】本発明の第１の実施例に係るデジタルラジオ放送受信装置のパラメータ記憶部に記憶されるデータの構成例を示す図。
【図４】本発明の第２の実施例に係るデジタルラジオ放送受信装置の構成の例を示すブロック図。
【図５】本発明の第２の実施例に係るデジタルラジオ放送受信装置の表示装置および入力装置の例を示す図。
【図６】本発明の第２の実施例に係るデジタルラジオ放送受信装置のユーザ設定パラメータ記憶部に記憶されるデータの構成例を示す図。
【符号の説明】
【００４７】
１、１１  デジタルラジオ受信装置
２  チューナ部
３  音声データデコーダ部
４  イコライザ
５、５１  パラメータ記憶部
６、６１  制御用ＣＰＵ
７  番組付加情報デコーダ部
８  ジャンルデータ抽出部
９１  表示装置
９２  入力装置
５１１  プリセットパラメータ記憶部
５１２  ユーザ設定パラメータ記憶部
５１３  パラメータ選択部
【図１】
2006109233.tif 000003
【図２】
2006109233.tif 000004
【図３】
2006109233.tif 000005
【図４】
2006109233.tif 000006
【図５】
2006109233.tif 000007
【図６】
2006109233.tif 000008